(57)【要約】【課題】  例えば既設の曲線コンベアに対して、搬送中の物品の搬送方向に対する向きを変更すること、及び搬送中の物品の搬送方向に対する向きを変更しない元の状態に戻すことを安価で簡単に行うことができる方向変更曲線コンベアを提供すること。【解決手段】  物品２を所定の曲線経路に沿って搬送するための曲線コンベア１と、曲線コンベア１の内周側フレーム１４に設けられ、物品２の底面のうち内周側フレーム１４に近い部分と当接して搬送中の物品２の向きを変更するための方向変更部材１３とを備え、この方向変更部材１３が曲線コンベア１の入口部１ａに設けられ、方向変更部材１３の上面に設けられている凸部１３ｂが送込みコンベア６の出口側搬送面よりも下方に位置する。【選択図】      図１
2006273452.tif 000002
【特許請求の範囲】
【請求項１】
物品を所定の曲線経路に沿って搬送するための曲線コンベアと、前記曲線コンベアの内周側フレームに設けられ物品の底面のうち前記内周側フレームに近い部分と当接して搬送中の物品の向きを変更するための方向変更部材とを備えることを特徴とする方向変更曲線コンベア。
【請求項２】
前記方向変更部材が前記曲線コンベアの入口部に設けられ、前記方向変更部材が前記曲線コンベアに物品を送り込む送込みコンベアの出口側搬送面よりも下方に位置することを特徴とする請求項１記載の方向変更曲線コンベア。
【請求項３】
前記方向変更部材は、搬送中の物品の底面と当接する凸部を備えることを特徴とする請求項１又は２記載の方向変更曲線コンベア。
【請求項４】
前記内周側フレームにおける前記曲線コンベアの出口側部分にローラを設け、前記ローラが物品の側面と当接して物品の向きを揃えることを特徴とする請求項１乃至３のいずれかに記載の方向変更曲線コンベア。
【請求項５】
前記曲線コンベアは、曲線ネットコンベアであることを特徴とする請求項１乃至４のいずれかに記載の方向変更曲線コンベア。
【発明の詳細な説明】
【技術分野】
【０００１】
本発明は、物品が曲線コンベア上の所定の曲線経路に沿って搬送される途中で、搬送方向に対する物品の向きを変更することができる方向変更曲線コンベアに関する。
【背景技術】
【０００２】
従来の曲線コンベアの一例として図４に示すものがある。同図に示す曲線コンベア１は、曲線ネットコンベアであり、入口部１ａから送り込まれた物品２を、その進行方向を約９０°変更して出口部１ｂから送り出すことができるものである。そして、その入口部１ａには第１従動ローラ３が設けられており、出口部１ｂには第２従動ローラ４が設けられている。そして、図には示さないが、曲線コンベア１の下部には、駆動ローラが設けられており、これら第１従動ローラ３、第２従動ローラ４及び駆動ローラには、ネットベルト５が掛けられている。この駆動ローラが回転駆動すると、ネットベルト５が図４に示す円弧方向の搬送方向８に送られて、ネットベルト５上の物品２を同方向に搬送することができる。また、図４に示す６は、送込みコンベアであり、７は送り出しコンベアである。
【０００３】
この曲線コンベア１によると、図４に示すように、平面形状が略長方形の物品２を、その長さ方向を搬送方向８と平行させて入口部１ａに送り込むと、物品２は入口部１ａから送り込まれたときと同じ状態（物品２の長さ方向が搬送方向８と平行する状態）で、出口部１ｂから送り出される。
【０００４】
ところで、例えば図５に示すように、前工程の都合によって、物品２を、その長さ方向を搬送方向８と直交させた状態で曲線コンベア１の入口部１ａに送り込むようにすると、物品２は入口部１ａに送り込まれたときと同じ状態（物品２の長さ方向が搬送方向８と直交する状態）で、出口部１ｂから送り出される。
【０００５】
しかし、図５に示すように、例えば建物の壁９に形成されている開口部９ａに合わせるために、送り出しコンベア７の横幅がＷ１に形成されており、この横幅Ｗ１が物品２の長さＬよりも短い場合は、曲線コンベア１から送り出される物品２を送り出しコンベア７に乗り移らせることができないという問題がある。
【０００６】
そこで、図５に示す曲線コンベア１に代えて、図６に示す方向変更曲線コンベア１０を使用することによって、物品２を送り出しコンベア７に乗り移らせることができる（例えば、特許文献１参照。）。図６に示す方向変更曲線コンベア１０は、内周フレーム（図示せず）と外周フレーム（図示せず）との間に、複数のテーパローラ１１、・・・が軸受を介して回動自在に設けられている。これらのテーパローラ１１、・・・は、大径部を内周フレーム側に位置させて放射状に配置してあり、それぞれの上面が水平に並ぶように設けられている。
【０００７】
この図６に示す方向変更曲線コンベア１０によると、物品２を、その長さ方向を搬送方向８と直交させた状態でこの方向変更曲線コンベア１０の入口部１０ａに送り込むと、物品２が搬送されるときに、物品２の向きが搬送方向８に対して９０°変更して、物品２はその長さ方向が搬送方向８と平行する状態で出口部１０ｂから送り出される。これによって、物品２を図５に示す送り出しコンベア７に乗り移らせることができる。なお、物品２の横幅Ｗ２は、送り出しコンベア７の横幅Ｗ１よりも短い寸法である。
【特許文献１】実開昭５０−８４９８７号公報
【発明の開示】
【発明が解決しようとする課題】
【０００８】
しかし、物品２を送り出しコンベア７に乗り移らせることができるようにするために、図５に示す曲線コンベア１を、図６に示す方向変更曲線コンベア１０に取り替えようとすると、費用が嵩み手間が掛かる。よって、図５に示す曲線コンベア１を使用して、安価で簡単に物品２を送り出しコンベア７に乗り移らせることができるようにすることが望まれる。
【０００９】
そして、図５に示す曲線コンベア１を、図６に示す方向変更曲線コンベア１０に取り替えてしまうと、図４に示すように、物品２を入口部１０ａから送り込まれたときと同じ状態（物品２の長さ方向が搬送方向８と平行する状態）で、出口部１０ｂから送り出すようにすることができないという問題がある。
【００１０】
本発明は、上記のような課題を解決するためになされたものであり、例えば既設の曲線コンベアに対して、搬送中の物品の搬送方向に対する向きを変更すること、及び搬送中の物品の搬送方向に対する向きを変更しない元の状態に戻すことを安価で簡単に行うことができる方向変更曲線コンベアを提供することを目的としている。
【課題を解決するための手段】
【００１１】
本発明に係る方向変更曲線コンベアは、物品を所定の曲線経路に沿って搬送するための曲線コンベアと、前記曲線コンベアの内周側フレームに設けられ物品の底面のうち前記内周側フレームに近い部分と当接して搬送中の物品の向きを変更するための方向変更部材とを備えることを特徴とするものである。
【００１２】
この発明に係る方向変更曲線コンベアが備える曲線コンベアによると、供給された物品を所定の曲線経路に沿って搬送することができる。そして、方向変更部材によると、その所定の曲線経路に沿って搬送される物品の底面のうち、内周側フレームに近い部分と当接して、物品に摩擦抵抗や接触抵抗等を付与することができ、物品の内周側フレームに近い部分の搬送方向の移動を妨げることができる。これによって、搬送中の物品の搬送方向に対する向きを変更することができる。また、方向変更部材を曲線コンベアから取り外すことによって、搬送中の物品の搬送方向に対する向きを変更しない元の状態に戻すことができる。
【００１３】
そして、この発明に係る方向変更曲線コンベアにおいて、前記方向変更部材が前記曲線コンベアの入口部に設けられ、前記方向変更部材が前記曲線コンベアに物品を送り込む送込みコンベアの出口側搬送面よりも下方に位置させるとよい。このようにすると、物品が送込みコンベアから方向変更曲線コンベアに送り込まれてくるときに、物品の底面のうち、内周側フレームに近い部分が方向変更部材上に確実に乗り上げるようにすることができる。これによって、搬送中の物品の搬送方向に対する向きを確実に変更することができる。
【００１４】
また、この発明に係る方向変更曲線コンベアにおいて、前記方向変更部材に、搬送中の物品の底面と当接する凸部を設けるとよい。このようにすると、例えば物品の底面の摩擦係数が比較的小さい場合でも、方向変更部材に設けられている凸部が物品の底面に引っ掛かることによって、搬送中の物品の搬送方向に対する向きを確実に変更することができる。
【００１５】
更に、この発明に係る方向変更曲線コンベアにおいて、前記内周側フレームにおける前記曲線コンベアの出口側部分にローラを設け、前記ローラが物品の側面と当接して物品の向きを揃えるようにしてもよい。このようにすると、物品の変更された向きにばらつきがある場合でも、ローラが物品の側面に当接することによって、物品を所定の向きに揃えることができる。そして、ローラを方向変更曲線コンベアの出口側部分に配置してあるので、物品を所定の向きに揃えた状態で送り出すことができる。
【００１６】
そして、この発明に係る方向変更曲線コンベアにおいて、前記曲線コンベアを曲線ネットコンベアとするとよい。このように、曲線ネットコンベアを使用すると、搬送中の物品の姿勢を、例えばローラコンベア等と比較して水平に近い状態に保持することができる。これによって、物品の底面と方向変更部材との接触面積や接触強さのばらつきを小さくすることができ、搬送中の物品の搬送方向に対する向きを正確に変更することができる。
【発明の効果】
【００１７】
この発明に係る方向変更曲線コンベアによると、例えば既設の曲線コンベアに対して方向変更部材を設けることによって、搬送中の物品の搬送方向に対する向きを変更することができる。よって、図６に示す従来の方向変更曲線コンベア１０を使用することなく、曲線コンベアに送り込まれてくる物品の搬送方向に対する向きを、安価で簡単に所望の向きとなるように変更して送り出すことができる。また、方向変更部材を曲線コンベアから取り外すことによって、搬送中の物品の搬送方向に対する向きを変更しない元の状態に簡単に戻すことができる。
【発明を実施するための最良の形態】
【００１８】
以下、本発明に係る方向変更曲線コンベアの実施形態を図１〜図３を参照して説明する。この方向変更曲線コンベア１２は、図１に示すように、前段に設けられている送込みコンベア６から送り込まれた物品２が、この方向変更曲線コンベア１２上の所定の約１／４円の円弧状経路（曲線経路）に沿って搬送される途中で、物品２の向きを変更して、後段に設けられている送り出しコンベア７に送り出すことができるものであり、曲線コンベア１と、方向変更部材１３とを備えている。この物品２は、例えば解凍された食肉がビニール袋で包装されたものであり、平面形状が略長方形であって所定の厚みを有している。
【００１９】
曲線コンベア１は、図１に示すように、従来の曲線コンベア（図４及び図５参照）１と同等の曲線ネットコンベアである。即ち、入口部１ａから送り込まれた物品２を、その進行方向を約９０°変更して出口部１ｂから送り出すことができるものであり、その入口部１ａには第１従動ローラ３が設けられており、出口部１ｂには第２従動ローラ４が設けられている。そして、図には示さないが、曲線コンベア１の下部には、駆動ローラが設けられており、これら第１従動ローラ３、第２従動ローラ４及び駆動ローラには、ネットベルト５が掛けられている。この駆動ローラが回転駆動すると、ネットベルト５が図１に示す円弧方向の搬送方向８に送られて、ネットベルト５上の物品２を同方向に搬送することができる。
【００２０】
なお、ネットベルト５を円弧方向に送ることができるようにするために、第１及び第２従動ローラ３、４に設けられているそれぞれの従動ローラ部３ａ、３ａ、・・・、４ａ、４ａ、・・・は、それぞれが設けられている第１及び第２従動軸３ｂ、４ｂに対して回動自在である。そして、駆動ローラは、複数の駆動ローラ部を備えており、これら複数の駆動ローラ部は、駆動軸に固定して設けられている。そして、これら複数の駆動ローラ部は、曲線コンベア１の内周側フレーム１４から外周側フレーム１５に向かうに従って、直径が大きくなるように形成されている。
【００２１】
また、曲線コンベア１には、ネットベルト５の上側走行路に沿って複数本の支持部材（図示せず）が設けられ、この支持部材はフレームに取り付けられている。これらの支持部材は、例えば円弧状の細長い板状体で形成されている。この上側走行路は、ネットベルト５が物品２を搬送する走行路であり、支持部材は、この上側走行路を走行するネットベルト５及び物品２を支持するためのものである。
【００２２】
更に、この曲線コンベア１の内周側フレーム１４は、床からの高さが外周側フレーム１５よりも低くなるように設置されている。よって、ネットベルト５の上側走行路を走行する搬送面は、内周側部が外周側部よりも低くなるように傾斜面として形成されている。
【００２３】
この曲線コンベア１によると、例えば図４に示すように、平面形状が略長方形の物品２を、その長さ方向を搬送方向８と平行させて入口部１ａに送り込むと、物品２は入口部１ａから送り込まれたときと同じ状態（物品２の長さ方向が出口部１ｂの搬送方向８と平行する状態）で、出口部１ｂから送り出される。ただし、入口部１ａから送り込まれた物品２は、その進行方向を右側に約９０°変更して出口部１ｂから送り出される。
【００２４】
また、ネットベルト５は、図１に示すように、例えば多数の折曲線材５ａ、・・・を互いに連結して環状に形成した従来公知のものであり、これらの多数の各折曲線材５ａ、・・・は、例えばステンレス等の金属製線材を折り曲げて形成したものである。このネットベルト５は、搬送面に凹凸が形成されないように各折曲線材５ａ、・・・が折曲されて互いに連結されている。これによって、物品２を略水平に保持した状態で所定の円弧状経路に沿って搬送することができる。ただし、図１等では、ネットベルト５を形成する多数の折曲線材５ａ、・・・のうちの一部のみを示している。
【００２５】
方向変更部材１３は、図１〜図３に示すように、例えば金属製の矩形の板状体１３ａを備えており、曲線コンベア１の入口部１ａであって、内周側フレーム１４の上面にボルト１６、１６によって締め付け固定されている。そして、この板状体１３ａは、その上面がネットベルト５の上側走行路の搬送面と略平行すると共に、板状体１３ａの長さ方向が曲線コンベア１の搬送方向（方向変更部材１３が設けられている箇所の搬送方向）８と略平行するように配置されている。そして、この板状体１３ａには、例えば短円柱状部材で形成された凸部１３ｂが溶接又はネジ止め等によって固定して取り付けられている。この凸部１３ｂは、板状体１３ａにおける曲線コンベア１の出口部１ｂに向かう短辺側縁部に配置されており、凸部１３ｂの軸心が板状体１３ａの短辺側縁部と平行し、かつ搬送方向８と略直交する状態で設けられている。
【００２６】
また、図３（ａ）に示すように、曲線コンベア１の入口側搬送面１７は、送込みコンベア６の出口側搬送面１８よりもＨだけ低い位置に配置されている。これによって、方向変更部材１３に設けられている凸部１３ｂの上縁は、送込みコンベア６の出口側搬送面１８よりも下方に位置するように配置されている。
【００２７】
なお、曲線コンベア１の横幅は、約７００ｍｍであり、板状体１３ａの縦及び横（長さ方向）の各寸法は、約１５０ｍｍ及び２５０ｍｍである。そして、凸部１３ｂの長さは約５０ｍｍである。
【００２８】
また、図１に示すように、内周側フレーム１４における曲線コンベア１の出口部（出口側部分）１ｂには、ローラ１９が回動自在に設けられている。このローラ１９は、軸心が略鉛直方向と平行し、曲線コンベア１によって搬送される物品２の内側面と当接する位置及び高さに設けられており、物品２の内側面と当接して物品２の向きを揃えるためのものである。このようにして向きを揃えられた物品２は、その長さ方向が搬送方向８と略平行する。
【００２９】
送込みコンベア６は、図１に示すように、搬送用突起２０、２０が搬送方向８に移動するように設けられており、この搬送用突起２０、２０が物品２に係合することによって物品２を搬送方向８に搬送することができるものである。この送込みコンベア６によると、供給された物品２を搬送して方向変更曲線コンベア１２の入口部１ａに送り込むことができる。この送込みコンベア６、及び方向変更曲線コンベア１２のそれぞれの横幅は、略同一の寸法に形成されている。
【００３０】
送り出しコンベア７は、図１に示すように、ベルトコンベアであり、方向変更曲線コンベア１２の出口部１ｂから送り出された物品２を受け入れて、所定の送り出し方向２１に送り出して搬送するものである。この送り出しコンベア７の横幅Ｗ１は、方向変更曲線コンベア１２の横幅よりも短い寸法に形成されている。この送り出しコンベア７は、壁９に形成されている開口部９ａに挿通して設置されている。また、物品２の横幅及び長さは、Ｗ２及びＬである。送り出しコンベア７の横幅Ｗ１は、物品２の横幅Ｗ２よりも長く、その長さＬよりも短い寸法である。
【００３１】
上記のように構成された方向変更曲線コンベア１２が備える曲線コンベア１によると、図４及び図５に示す従来の曲線コンベア１と同様に、前段に設けられている送込みコンベア６から供給された物品２を所定の円弧状経路に沿って搬送して、後段に設けられている送り出しコンベア７に送り出すことができる。この際、図１に示すように、平面形状が略長方形の物品２を、その長さ方向を搬送方向８と直交させて入口部１ａに送り込むと、物品２を、入口部１ａから送り込まれたときと同じ状態（物品２の長さ方向が搬送方向８と直交する状態）で、出口部１ｂから送り出すことができる。
【００３２】
そして、方向変更部材１３によると、物品２の搬送状態を表す図１の二点鎖線で示すように、曲線コンベア１の所定の円弧状経路に沿って搬送される物品２の底面２ａのうち、内周側フレーム１４に近い部分と当接して、物品２に摩擦抵抗を付与することができ、物品２の内周側フレーム１４に近い部分の搬送方向８の移動を妨げることができる。これによって、搬送中の物品２の長さ方向が搬送方向８と平行する状態となるように物品２の向きを変更して、物品２をこの方向変更曲線コンベア１２の出口部１ｂから後段の送り出しコンベア７に送り出すことができる。よって、図６に示す従来の方向変更曲線コンベア１０を使用することなく、曲線コンベア１に送り込まれてくる物品２の搬送方向８に対する向きを、安価で簡単に所望の向きとなるように変更することができる。
【００３３】
つまり、図５に示すように、曲線コンベア１によると、前工程の都合によって、物品２を、その長さ方向を搬送方向８と直交させた状態で曲線コンベア１の入口部１ａに送り込むようにすると、物品２は入口部１ａに送り込まれたときと同じ状態（物品２の長さ方向が搬送方向８と直交する状態）で出口部１ｂから送り出されるが、このとき、送り出しコンベア７の横幅Ｗ１が物品２の長さＬよりも短いので、曲線コンベア１から送り出される物品２を送り出しコンベア７に乗り移らせることができない。
【００３４】
そこで、図１に示すように、曲線コンベア１に方向変更部材１３を取り付けることによって、搬送中の物品２の長さ方向が搬送方向８と平行するように９０°向きを変更して、物品２をこの方向変更曲線コンベア１２の出口部１ｂから後段の送り出しコンベア７に送り出すことができる。これによって、曲線コンベア１から送り出される物品２を送り出しコンベア７に乗り移らせることができる。ただし、物品２の横幅Ｗ２は、送り出しコンベア７の横幅Ｗ１よりも短い寸法である。
【００３５】
そして、図３（ａ）、（ｂ）、（ｃ）に示すように、方向変更部材１３を曲線コンベア１の入口部１ａに設け、方向変更部材１３の凸部１３ｂの上縁が送込みコンベア６の出口側搬送面１８よりも下方に位置するように配置することによって、物品２が送込みコンベア６から方向変更曲線コンベア１２に送り込まれてくるときに、物品２の底面２ａのうち、内周側フレーム１４に近い部分が方向変更部材１３上に確実に乗り上げるようにすることができる。これによって、搬送中の物品２の搬送方向８に対する向きを確実に変更することができ、物品２の長さ方向が搬送方向８と平行するように９０°向きを変更して出口部１ｂから送り出すことができる。図３（ａ）は、物品２が送込みコンベア６の出口部に移動している状態を示す正面図、図３（ｂ）は、物品２が送込みコンベア６の出口部と方向変更曲線コンベア１２の入口部１ａとに跨る位置に移動している状態を示す正面図、図３（ｃ）は、物品２が方向変更曲線コンベア１２の入口部１ａに移動している状態を示す正面図である。
【００３６】
また、図２及び図３に示すように、凸部１３ｂを方向変更部材１３の上面に設けることによって、例えば物品２の底面２ａの摩擦係数が比較的小さい場合でも、凸部１３ｂが物品２の底面２ａに引っ掛かることによって、搬送中の物品２の搬送方向８に対する向きを確実に変更することができる。なお、この実施形態の物品２は、食肉をビニール袋で包装したものであるので、物品２の底面２ａの摩擦係数が比較的小さいし、物品２の底面２ａに凹凸が形成されている場合は、板状体１３ａとの接触面積が小さくなることがあるが、凸部１３ｂを設けることによって、物品２の搬送方向８に対する向きを確実に変更することができる。
【００３７】
更に、図１に示すように、内周側フレーム１４における曲線コンベア１の出口部１ｂに、物品２の向きを揃えるためのローラ１９を設けてあるので、物品２が曲線コンベア１の出口部１ｂに搬送されたときに、ローラ１９が物品２の内側面に当接することができる。これによって、変更された物品２の向きにばらつきがある場合でも、物品２を所定の向き（物品２の長さ方向が搬送方向８と略平行する方向）に揃えることができる。そして、ローラ１９を方向変更曲線コンベア１２の出口部１ｂに配置してあるので、物品２を、所定の向きに揃えた状態で送り出すことができる。
【００３８】
そして、図１に示すように、曲線コンベア１として曲線ネットコンベアを使用しているので、搬送中の物品２の姿勢を、例えばローラコンベア等と比較して、水平に近い状態に保持することができる。これによって、物品２の底面２ａと方向変更部材（板状体１３ａの上面及び凸部１３ｂ）１３との接触面積や接触強さのばらつきを小さくすることができ、搬送中の物品２の搬送方向８に対する向きを正確に変更することができる。
【００３９】
次に、図１に示す方向変更曲線コンベア１２に取り付けられている方向変更部材１３を曲線コンベア１から取り外すことによって（図４参照）、搬送中の物品２の搬送方向８に対する向きを変更しない元の状態に戻すことができる。つまり、物品２を、その長さ方向を搬送方向８と平行させて曲線コンベア１の入口部１ａに送り込むと、その進行方向を約９０°変更して出口部１ｂから送り出すことができる。そして、その出口部１ｂから送り出される物品２は、入口部１ａから送り込まれたときと同じ状態（物品２の長さ方向が搬送方向８と平行する状態）で送り出される。
【００４０】
従って、この方向変更曲線コンベア１２によると、図１に示すように、例えば既設の曲線コンベア１に対して、搬送中の物品２の搬送方向８に対する向きを変更すること、及び図４に示すように、搬送中の物品２の搬送方向８に対する向きを変更しない元の状態に戻すことを安価で簡単に行うことができる。なお、ローラ１９は、曲線コンベア１から取り外していないが、取り外してもよい。
【００４１】
ただし、上記実施形態では、図１に示すように、方向変更部材１３に設けられている凸部１３ｂを１つの短円柱状部材で形成したが、複数本の短円柱状部材で複数の凸部１３ｂを形成してもよい。そして、この凸部１３ｂを省略してもよいし、板状体１３ａの表面に多数の凹凸を設けた構成としてもよい。この多数の凹凸によって、物品２と方向変更部材１３（板状体１３ａ）との摩擦抵抗を所望の大きさに設定することができる。また、凸部１３ｂは、その凸部１３ｂが設けられている箇所の搬送方向８に対して直行するように設けたが、これに代えて、搬送方向８に対して平行するように設けてもよい。要は、凸部１３ｂと物品２との接触によって、物品２を所望の向きに向けることができるように、凸部１３ｂの大きさ、形状、個数、取付け方向を設定すればよい。
【００４２】
そして、上記実施形態では、曲線コンベア１として曲線ネットコンベアを使用したが、この曲線ネットコンベアに代えて、例えば曲線ローラコンベアを使用してもよい。この曲線ローラコンベアは、例えば、一定の外径に形成された多数の平行ローラを備える従来公知のものであり、各平行ローラは、同方向に回転駆動されるものとする。
【産業上の利用可能性】
【００４３】
以上のように、本発明に係る方向変更曲線コンベアは、例えば既設の曲線コンベアに対して、搬送中の物品の搬送方向に対する向きを変更すること、及び搬送中の物品の搬送方向に対する向きを変更しない元の状態に戻すことを安価で簡単に行うことができる優れた効果を有し、このような方向変更曲線コンベア等に適用するのに適している。
【図面の簡単な説明】
【００４４】
【図１】この発明の実施形態に係る方向変更曲線コンベアを示す平面図である。
【図２】同実施形態に係る方向変更曲線コンベアの方向変更部材を示す拡大平面図である。
【図３】同実施形態に係る方向変更曲線コンベアに送り込まれる物品を示す図であり、（ａ）は物品が送込みコンベアの出口部に移動している状態を示す正面図、（ｂ）は物品が送込みコンベアの出口部と方向変更曲線コンベアの入口部とに跨る位置に移動している状態を示す正面図、（ｃ）は物品が方向変更曲線コンベアの入口部に移動している状態を示す正面図である。
【図４】従来の曲線コンベアを使用して物品の長さ方向を搬送方向と平行する方向に向けて物品を搬送する状態を示す平面図である。
【図５】同従来の曲線コンベアを使用して物品の長さ方向を搬送方向と直交する方向に向けて物品を搬送する状態を示す平面図である。
【図６】他の従来の方向変更曲線コンベアを示す平面図である。
【符号の説明】
【００４５】
１  曲線コンベア
１ａ  曲線コンベアの入口部
１ｂ  曲線コンベアの出口部
２  物品
２ａ  物品の底面
３  第１従動ローラ
３ａ、４ａ  従動ローラ部
３ｂ  第１従動軸
４  第２従動ローラ
４ｂ  第２従動軸
５  ネットベルト
５ａ  折曲線材
６  送込みコンベア
７  送り出しコンベア
８  搬送方向
９  壁
９ａ  開口部
１２  方向変更曲線コンベア
１３  方向変更部材
１３ａ  板状体
１３ｂ  凸部
１４  内周側フレーム
１５  外周側フレーム
１６  ボルト
１７  入口側搬送面
１８  出口側搬送面
１９  ローラ
２０  搬送用突起
２１  送り出し方向
【図１】
2006273452.tif 000003
【図２】
2006273452.tif 000004
【図３】
2006273452.tif 000005
【図４】
2006273452.tif 000006
【図５】
2006273452.tif 000007
【図６】
2006273452.tif 000008